(57)【要約】【課題】測定部位の周囲長による血圧測定に要する時間のばらつきを解消する。【解決手段】血圧測定時の固定用空気袋の加圧所要時間から、腕周推定部１１６は被測定者の腕周を推定し、残圧力決定部１１４は推定した腕周に対応した残圧を決定する。血圧測定終了時に固定用空気袋内部には、第２圧力調整部１１２により、残圧に応じた圧力が残るように調整される。これにより、以降の血圧測定では固定用空気袋がある程度膨らんだ状態から測定用空気袋の巻付け固定を開始できる。【選択図】図５
2010035804.tif 000002
【特許請求の範囲】
【請求項１】
流体が供給されて膨張する血圧の測定用袋と、血圧測定時に前記流体が供給されて膨張することにより前記測定用袋を被測定者の測定部位に巻付けて固定するための固定用袋とを備える電子血圧計であって、
前記流体が供給されて膨張する前記測定用袋を測定部位に巻付けて前記測定用袋内の圧力に基づき血圧を算出する血圧算出部と、
前記固定用袋の内圧として残すべき残圧を決定する残圧決定手段と、
前記血圧測定終了後に、前記固定用袋の内圧を、決定された前記残圧となるように調整し、調整後の残圧を次回の血圧測定開始時まで保持する圧力調整手段と、を備え、
前記残圧決定手段は、
血圧測定時に前記固定用袋から前記流体を排出した後の前記内圧を、所定圧力にまで加圧するのに要する時間を計時する計時手段と、
前記計時手段が計時した時間に基づき、前記測定部位の周囲長を推定する周囲長推定手段と、を含み、
前記周囲長推定手段が推定した周囲長に応じて、前記残圧を決定する、電子血圧計。
【請求項２】
前記電子血圧計は、さらに、
前記電子血圧計を用いて血圧測定を行う被測定者を識別する識別手段と、
決定された前記残圧を、識別された前記被測定者毎に関連付けて格納する残圧力格納手段とを備える、請求項１に記載の電子血圧計。
【請求項３】
前記血圧測定の開始時に、前記固定用袋に保持されていた残圧を、前記残圧力格納手段から読出した被測定者毎の前記残圧となるように調整する、請求項１または２に記載の電子血圧計。
【請求項４】
前記所定圧力は、血圧測定のために前記測定用空気袋を前記測定部位に巻付け固定するための圧力レベルを指す、請求項１から３のいずれかに記載の電子血圧計。
【請求項５】
前記電子血圧計は、
前記所定圧力にまで加圧するのに要する時間、当該時間に対応の前記周囲長、および当該周囲長に対応の前記残圧のデータを予め格納したテーブルを備え、
前記周囲長推定手段は、血圧測定時に前記計時手段が計時した前記時間に基づき前記テーブルを検索して対応の前記周囲長を読出し、
前記残圧決定手段は、
読出した前記周囲長に基づき前記テーブルを検索して対応の前記残圧を読出す、請求項１から４のいずれかに記載の電子血圧計。
【発明の詳細な説明】
【技術分野】
【０００１】
この発明は、生体の測定部位に空気袋を巻付け装着して血圧を測定する電子血圧計に関し、特に、巻付けされる測定部位の周囲長に応じた制御を行なう電子血圧計に関する。
【背景技術】
【０００２】
血圧測定用の空気袋のサイズは正確な血圧測定を行なうために、被測定者毎に適正化されているいることが望まれる。この適正化に関して、特許文献１の血圧計では、患者の腕周の長さに対して、カフが適正なサイズであるかを判定し、カフサイズが適正でないと判定したきには、カフの交換をするようにメッセージを出力する。
【特許文献１】特開２００７−１３０３１９号公報
【発明の開示】
【発明が解決しようとする課題】
【０００３】
特許文献１では、人手によりカフの交換を行なう必要があり、操作がわずらわしい。そこで、カフの交換を必要とせずに腕周の長さにかかわらず全自動で空気袋を測定部位、たとえば腕に巻きつける血圧計が提供されている。
【０００４】
このような血圧計では、自動で巻付ける機能を実現するために、血圧測定用の空気袋の外側に当該空気袋を測定部位に巻付けて装着し固定させるための別の空気袋が配置される。この巻付け用空気袋を加圧することで測定用空気袋を測定部位に自動で巻付けることができる。この血圧測定用の空気袋のサイズは、あらゆる腕周の長さに対応するために、最大の腕周長に基づき決定されている。そのため、腕周の短い被測定者は腕周の長い測定者と比較して、巻付け用空気袋を加圧開始して測定用空気袋を測定部位に巻付けるまでに要する時間は、より長い時間を必要とし、結果として血圧測定が完了するまでに長い時間を必要としていた。また、巻付け用空気袋を加圧する時間が長い分、加圧のためのポンプを駆動する時間が長くなり、電池寿命も短くなる。
【０００５】
それゆえに本発明の目的は、測定部位の周囲長による血圧測定に要する時間のばらつきを解消する電子血圧計を提供することである。
【課題を解決するための手段】
【０００６】
この発明のある局面に従うと、電子血圧計は、流体が供給されて膨張する血圧の測定用袋と、血圧測定時に流体が供給されて膨張することにより測定用袋を被測定者の測定部位に巻付けて固定するための固定用袋とを備える電子血圧計であって、流体が供給されて膨張する測定用袋を測定部位に巻付けて測定用袋内の圧力に基づき血圧を算出する血圧算出手段と、固定用袋の内圧として残すべき残圧を決定する残圧決定手段と、血圧測定終了後に、前記固定用袋の内圧を、決定された前記残圧となるように調整し、調整後の残圧を次回の血圧測定開始時まで保持する圧力調整手段と、を備え、残圧決定手段は、血圧測定時に固定用袋から前記流体を排出した後の内圧を、所定圧力にまで加圧するのに要する時間を計時する計時手段と、計時手段が計時した時間に基づき、測定部位の周囲長を推定する周囲長推定手段と、を含み、周囲長推定手段が推定した周囲長に応じて、残圧を決定する。
【０００７】
好ましくは、電子血圧計は、さらに、電子血圧計を用いて血圧測定を行う被測定者を識別する識別手段と、決定された残圧を、識別された被測定者毎に関連付けて格納する残圧力格納手段とを備える。
【０００８】
好ましくは、血圧測定の開始時に、固定用袋に保持されていた残圧を、残圧力格納手段から読出した被測定者毎の前記残圧となるように調整する。
【０００９】
好ましくは、所定圧力は、血圧測定のために測定用空気袋を測定部位に巻付け固定するための圧力レベルを指す。
【００１０】
好ましくは、電子血圧計は、所定圧力にまで加圧するのに要する時間、当該時間に対応の周囲長、および当該周囲長に対応の残圧のデータを予め格納したテーブルを備え、周囲長推定手段は、血圧測定時に計時手段が計時した時間に基づきテーブルを検索して対応の周囲長を読出し、残圧決定手段は、読出した周囲長に基づきテーブルを検索して対応の残圧を読出す。
【発明の効果】
【００１１】
本発明によれば、血圧測定時の固定用袋の加圧所要時間から被測定者の腕周を推定し、測定終了時に固定用袋内部に、腕周に対応した圧力を残すとしたので、以降の血圧測定では固定用袋がある程度膨らんだ状態から測定用袋の巻付け固定を開始でき、腕周によって測定時間に差異が生じない。
【発明を実施するための最良の形態】
【００１２】
以下、この発明の実施の形態について図面を参照して詳細に説明する。なお、各図中、同一符号は同一または相当部分を指し、その説明は繰返さない。
【００１３】
図１と図２には電子血圧計の外観と使用状態が概略的に示されている。
図１を参照して電子血圧計１は、被験者の測定部位である上腕を固定するための固定用筒状ケース５および血圧計本体部２を備える。血圧計本体部２には、後述の表示器４０としてのＬＣＤ（liquid Crystal Display）４を有する。また血圧計本体部２には、外部操作が可能なように後述の操作部４１として電源スイッチ４１Ａ、血圧測定の開始および停止を指示するためのスタートスイッチ４１Ｂおよびストップスイッチ４１Ｃ、被測定者（ユーザ）を識別するために操作される複数のユーザＩＤスイッチ４１Ｄおよびゲストスイッチ３を有する。ユーザＩＤスイッチ４１Ｄは、電子血圧計１を習慣的に共用する複数のユーザを一意に識別するために操作される。ゲストスイッチ３は、ユーザＩＤスイッチ４１Ｄの操作によっては識別できないゲストとしてのユーザによって操作される。
【００１４】
固定用筒状ケース５の外周面は樹脂材料からなる筐体６により覆われている。筐体６の内周面７には、測定部位に装着される血圧の測定用空気袋を有する。図２には、血圧測定するために固定用筒状ケース５の図面手前方向から被測定者の測定部位である上腕１００が挿通された状態が示される。
【００１５】
図２には、図１の状態における固定用筒状ケース５の横断面が模式的に示される。固定用筒状ケース５には測定部位である上腕１００の外周から固定用筒状ケース５の内周面方向に向かって、測定用空気袋５０、その径が伸縮自在の圧迫固定用カーラー５６および圧迫により測定用空気袋５０を測定部位に固定するための固定用空気袋５１が設けられる。圧迫固定用エアー系５４により空気が徐々に供給されて固定用空気袋５１が膨張すると、その作用により圧迫固定用カーラー５６は径を縮ませるので、それに伴い圧迫固定用カーラー５６と人体（上腕１００）の間に介在する測定用空気袋５０が測定部位に対して押圧される。これにより、測定用空気袋５０は圧迫固定用カーラー５６および固定用空気袋５１により人体（上腕１００）の周囲に巻付けられて、血圧測定可能な状態となる。
【００１６】
図３を参照して電子血圧計１は、測定用空気袋５０、固定用空気袋５１、測定用空気袋５０にチューブ５３を介して空気を供給または排出するための血圧測定用エアー系５２、血圧測定用エアー系５２に関連して設けられる増幅器３５、ポンプ駆動回路３６、弁駆動回路３７およびＡ／Ｄ（Analog/Digital）変換器３８を備える。さらに電子血圧計１は、固定用空気袋５１にチューブ５５を介して空気を供給または排出するための圧迫固定用エアー系５４、圧迫固定用エアー系５４に関連して設けられる増幅器４５、ポンプ駆動回路４６、弁駆動回路４７およびＡ／Ｄ（Analog/Digital）変換器４８を備える。さらに電子血圧計１は、各部を集中的に制御および監視するためのＣＰＵ（Central Processing Unit）３０、ＣＰＵ３０に所定の動作をさせるプログラムや測定された血圧値などの各種情報を記憶するためのメモリ３９、血圧測定結果を含む各種情報を表示するための表示器４０、測定のための各種指示を入力するために操作される操作部４１、および時間を計時して計時データを出力するタイマ４２を備える。
【００１７】
図４を参照して、血圧測定用エアー系５２は測定用空気袋５０内の圧力（以下、カフ圧Ｐｃという）を検出して出力する圧力センサ３２、測定用空気袋５０に空気を供給するためのポンプ３３および測定用空気袋５０の空気を排出しまたは封入するために開閉される弁３４を有する。増幅器３５は圧力センサ３２の出力信号を増幅してＡ／Ｄ変換器３８に与え、Ａ／Ｄ変換器３８は与えられたアナログ信号をデジタル信号に変換してＣＰＵ３０に出力する。ポンプ駆動回路３６はポンプ３３の駆動をＣＰＵ３０から与えられる制御信号に基づいて制御する。弁駆動回路３７は弁３４の開閉制御をＣＰＵ３０から与えられる制御信号に基づいて行なう。
【００１８】
また、圧迫固定用エアー系５４は固定用空気袋５１内の圧力を検出して出力するための圧力センサ４２、固定用空気袋５１に空気を供給するためのポンプ４３、固定用空気袋５１の空気を排出しまたは封入するために開閉される弁４４を有する。増幅器４５は圧力センサ４２の出力信号を増幅してＡ／Ｄ変換器４８に与え、Ａ／Ｄ変換器４８は与えられるアナログ信号をデジタル信号に変換してＣＰＵ３０に出力する。ポンプ駆動回路４６はＣＰＵ３０から与えられる制御信号に従いポンプ４３の駆動を制御する。弁駆動回路４７はＣＰＵ３０から与えられる制御信号に従って弁４４の開閉を制御する。
【００１９】
図５には、本実施の形態に係る電子血圧計１の機能構成が示される。図５を参照し、ＣＰＵ３０には、第１圧力調整部１１１、第２圧力調整部１１２、血圧算出部１１３、残圧力決定部１１４、メモリアクセス部１１７、表示処理部１１８、記憶データ利用処理部１１９およびゲストモード利用処理部１２０を備える。
【００２０】
第１圧力調整部１１１はポンプ駆動回路３６および弁駆動回路３７を介してポンプ３３および弁３４を制御し、チューブ５３を介して測定用空気袋５０内に空気を流入・排出することにより、カフ圧を調整する。
【００２１】
第２圧力調整部１１２はポンプ駆動回路４６および弁駆動回路４７を介してポンプ４３および弁４４を制御し、チューブ５５を介して固定用空気袋５１内に空気を流入・排出することにより、固定用空気袋５１内の圧力を調整する。この際に、第２圧力調整部１１２は、Ａ／Ｄ変換回路４８を接続し、Ａ／Ｄ変換回路４８から入力する固定用空気袋５１の内圧を指す圧力信号に基づき、ポンプ駆動回路４６および弁駆動回路４７を制御する。
【００２２】
血圧算出部１１３はＡ／Ｄ変換回路３８を接続し、Ａ／Ｄ変換回路３８から入力するカフ圧Ｐｃを指すカフ圧信号に基づき、血圧（最高血圧および最低血圧）を算出する。最高血圧は、収縮期血圧に相当し、最低血圧は拡張期血圧に相当する。
【００２３】
また、血圧算出部１１３は、カフ圧信号に重畳する脈波振幅情報に基づき所定時間当りの脈波数を算出する。脈波数を算出は従来からある方法を適用することができる。
【００２４】
残圧力決定部１１４は、タイマ４２から与えられる計時データに基づき、固定用空気袋５１内の圧力を加圧するのに要する時間を計時する加圧時間計時部１１５と、腕周推定部１１６とを含む。腕周推定部１１６は、加圧時間計時部１１５によって計時された時間データに基づき、ユーザの測定部位である上腕１００の腕周長を推定する。
【００２５】
メモリアクセス部１１７は、メモリ３９にデータを書込み、またはメモリ３９からデータを読出す。表示処理部１１８は、表示器４０におけるデータ表示を処理する。記憶データ利用処理部１１９およびゲストモード利用処理部１２０の詳細については後述する。
【００２６】
図５ではＣＰＵ３０の周辺回路について、ＣＰＵ３０と直接に入出力する部分のみを示している。
【００２７】
図６には、メモリ３９の記憶内容の一例が示される。メモリ３９は、記憶領域Ｅ１、Ｅ２およびＥ３を含む。記憶領域Ｅ１には、血圧算出部１１３による血圧測定のデータ２００が格納される。記憶領域Ｅ２にはテーブル３００が格納される。テーブル３００は、データ３０１、データ３０２およびデータ３０３が相互に関連付けて格納される。データ３０１は、固定用空気袋５１を完全に排気した状態から、第２圧力調整部１１２により加圧を開始し、固定用空気袋５１の内圧が所定圧力となるまでの所要時間を示す。データ３０２は、対応するデータ３０１が指示する時間に応じた、ユーザの腕周を示す。データ３０３は、対応のデータ３０２が示す腕周のデータに対応して、血圧測定終了後に、固定用空気袋５１に内圧として残しておくべき圧力（以下、残圧力という）レベルを示す。固定用空気袋５１に残圧力が保持された状態では、固定用空気袋５１は膨張した状態である。この状態であっても、ユーザは腕１００を自由に図２のように固定用筒状ケース５に挿通でき、また引抜くこともできる。残圧力は、このような動作を可能とするようなレベルである。テーブル３００のデータは、予め実験などにより測定して格納しておくことができる。
【００２８】
記憶領域Ｅ３にはテーブル４００が格納される。テーブル４００には、電子血圧計１の被測定者（ユーザ）を特定するためのＩＤデータ４０１のそれぞれに対応して、残圧力レベルを指すデータ４０２が格納される。
【００２９】
次に、図７〜図９を参照して、本実施の形態に係る血圧測定処理の手順について説明する。図７〜図９のフローチャートに従うプログラムは予めメモリ３９に格納されており、ＣＰＵ３０がメモリ３９からプログラム命令コードを読出し実行することにより、処理が実現される。図１０と図１１のグラフは、血圧測定処理の手順を説明するために参照される。
【００３０】
なお、電子血圧計１は、電源スイッチ４１ＡがＯＮ操作されたことにより各部に電力が供給されて動作可能な状態にあると想定する。したがって、弁４４の開閉状態も保持することができ、直前の血圧測定により残された固定用空気袋５１内の圧力も保持されていると想定する。
【００３１】
まず、ユーザは図２のように腕１００を固定用筒状ケース５に挿通した状態において、ユーザによって血圧測定開始スイッチ４１Ｂが操作されたことが、ＣＰＵ３０により検出されると、図７の処理が開始される。
【００３２】
まず、ＣＰＵ３０は、メモリ３９の作業領域の初期化処理を行なう（ステップＳＴ３）。
【００３３】
続いて、ＣＰＵ３０はユーザにより、ゲストモードスイッチ３が操作されたか否かを検出する。ゲストモードスイッチ３が操作されたことを検出した場合には（ステップＳＴ５でＹＥＳ）、後述するゲストモード処理（ＳＴ３９）が行なわれる。
【００３４】
一方、ゲストモードスイッチ３が操作されていないと検出されると（ステップＳＴ５でＮＯ）、ユーザにより当該ユーザを識別するためのユーザＩＤスイッチ４１Ｄが操作されたか否かが検出される（ステップＳＴ６）。ここでは、ユーザＩＤスイッチ４１Ｄが操作されないときは（ステップＳＴ６でＮＯ）、ユーザの変更はないと判定されて、処理は、血圧測定のための後述の処理Ｐ１に移行する。いずれかのユーザＩＤスイッチ４１Ｄが操作されたことが検出されると（ステップＳＴ６でＹＥＳ）、ステップＳＴ７の処理に移行する。
【００３５】
ステップＳＴ７では、ＣＰＵ３０は、操作されたユーザＩＤスイッチ４１Ｄが指示するユーザＩＤを入力し、ＣＰＵ３０の一時記憶領域に記録する（ステップＳＴ７）。各ユーザＩＤスイッチ４１Ｄには予めＩＤに対応するデータが割当されており、操作されると割当てされていたＩＤデータをＣＰＵ３０に出力する。ＣＰＵ３０は入力するＩＤデータをは、一時記憶する。
【００３６】
ＣＰＵ３０は、一時記憶したＩＤデータに基づきメモリ３９の領域Ｅ３のテーブル４００を検索し、検索結果に基づき、当該ＩＤデータに一致するＩＤのデータ４０１がテーブル４００に登録済であるか否かを判定する（ステップＳＴ９）。登録済であると判定されると（ステップＳＴ９でＹＥＳ）、後述の記憶データ利用処理（ステップＳＴ４１）に移行する。
【００３７】
一方、登録済でないと判定されると（ステップＳＴ９でＮＯ）、第２圧力調整部１１２により、固定用空気袋５１内の空気を完全に排気し、その後に加圧が開始される（ステップＳＴ１１）。この加圧過程を図１１のグラフを参照して説明する。この加圧開始から、図１１のグラフのように固定用空気袋５１内の圧力は上昇をする。加圧時間計時部１１５はタイマ４２により加圧開始からの経過時間の計時を開始する（ステップＳＴ１３）。第２圧力調整部１１２は、ポンプ駆動回路４６および弁駆動回路４７を駆動することにより、固定用空気袋５１内の圧力を上昇させる。この結果、第２圧力調整部１１２がＡ／Ｄ変換回路４８を介して検出する固定用空気袋５１内の圧力が、図１１の圧力ＰＰの所定圧力を指示すると判定すると（ステップＳＴ１５でＹＥＳ）、加圧時間計時部１１５は、この時点でタイマ４２が計時する時間データ（図１１では時間Ｔ１に対応）を読取る。その後、処理は後述のステップＳＴ１７の処理に移行する。
【００３８】
一方、検出される圧力が、所定圧力未満であることが判定されると（ステップＳＴ１５でＮＯ）、ステップＳＴ１１の処理に戻り、固定用空気袋５１内の圧力の加圧処理が継続する。したがって、加圧時間計時部１１５により、タイマ４２を用いて固定用空気袋５１の加圧を開始してから、所定圧力に達するまでの所要時間が計時される。
【００３９】
この所定圧力は、固定用空気袋５１が、血圧測定可能な状態となるように測定用空気袋５０を腕１００に巻付け固定するために必要な固定用空気袋５１内の圧力を指す。この所定圧力は予め実験などにより検出されてメモリ３９に格納されている。
【００４０】
次に、ステップＳＴ１７において、腕周推定部１１６はユーザの腕１００の腕周を推定する。具体的には、加圧時間計時部１１５により計時された時間データに基づきメモリ３９の領域Ｅ２のテーブル３００を検索し、当該時間データが該当する時間のデータ３０１を特定し、特定したデータ３０１に対応する腕周のデータ３０２をテーブル３００から読出す。そして、残圧力決定部１１４は、読出した腕周のデータ３０２に対応する残圧力のデータ３０３をテーブル３００から読出す。これにより、当該ユーザの腕周の長さに応じた残圧力が決定される（ステップＳＴ１９）。
【００４１】
残圧力決定部１１４は、ステップＳＴ１９で決定した残圧力のデータを、ステップＳＴ７で入力したユーザのＩＤデータと関連付けて、領域Ｅ３のテーブル４００に格納する。これにより、テーブル４００には、入力したＩＤデータを示すデータ４０１と決定された残圧力を示すデータ４０２とが対応付けられて、テーブル４００に追加登録される（ステップＳＴ２０）。その後、処理は血圧測定の処理Ｐ１に移行する。
【００４２】
この血圧測定処理Ｐ１が完了すると、第２圧力調整部１１２は、固定用空気袋５１内の圧力を、当該ユーザについて決定している残圧力まで減圧する（ステップＳＴ３７）。この残圧力は、第２圧力調整部１１２が当該ユーザのＩＤデータに基づきテーブル４００を検索することにより残圧力のデータ４０２として取得することができる。第２圧力調整部１１２は、具体的には、Ａ／Ｄ変換回路４８から入力する固定用空気袋５１の圧力信号に基づき、弁駆動回路４７を制御する。これにより、固定用空気袋５１の圧力信号が残圧力を指示することが検出されるまで、弁駆動回路４７を制御し、固定用空気袋５１内の空気を排気する。排気完了後は、第２圧力調整部１１２は弁４４を閉じる。これにより、固定用空気袋５１内の残圧力は保持される。
【００４３】
以上で、図７の処理は終了する。
ここで、血圧測定処理Ｐ１について説明する。図７を参照して血圧測定処理Ｐ１はステップＳＴ２１〜ＳＴ３５からなる。
【００４４】
まず、第２圧力調整部１１２は、Ａ／Ｄ変換回路４８から入力する固定用空気袋５１の圧力信号が、所定圧力を指すか否かを判定する（ステップＳＴ２１）。所定圧力を指すと判定されると、処理はステップＳＴ２３に移行するが、指さないと判定される間は（ステップＳＴ２１でＮＯ）、第２圧力調整部１１２によりポンプ４３駆動されて固定用空気袋５１の加圧が行なわれる（ステップＳＴ２２）。
【００４５】
次に第２圧力調整部１１２は駆動していたポンプ４３を停止して、第１圧力調整部１１１は弁３４を閉じた状態でポンプ駆動回路３６を制御してポンプ３３を駆動開始し、測定用空気袋５０のカフ圧Ｐｃを徐々に上昇させる（ステップＳＴ２３）。徐々に加圧する過程において、Ａ／Ｄ変換回路３８が出力する圧力信号に基づき、血圧測定のための所定レベルにまでカフ圧Ｐｃが達したことを判定すると、第１圧力調整部１１１はポンプ３３を停止し、次に閉じていた弁３４を徐々に開いて、測定用空気袋５０の空気を徐々に排気し、カフ圧Ｐｃを徐々に減圧させる（ステップＳＴ２５）。本実施の形態ではカフ圧Ｐｃの微速減圧過程において血圧を測定する。
【００４６】
まず、カフ圧Ｐｃが徐々に減圧する過程において、血圧算出部１１３は、Ａ／Ｄ変換回路３８を介して圧力センサ３２から出力されるカフ圧Ｐｃの検出信号を取得し、該信号に重畳している脈波信号を検出する（ステップＳＴ２７）。ステップＳＴ２３〜ステップＳＴ２７の処理手順は公知の手順であるので、詳細は略す。
【００４７】
次に、血圧算出部１１３はステップＳＴ２７で求められた脈波信号に基づき、公知の手順で血圧（最高血圧、最低血圧など）を算出する（ステップＳＴ２９）。この詳細は後述する。
【００４８】
ステップＳＴ２９において血圧が算出されると、血圧算出部１１３は、メモリアクセス部１１７を介して、メモリ３９の領域Ｅ１に、算出した血圧値を当該ユーザのＩＤデータと関連付けて、または、タイマ４２が計時する測定時間データと関連付けて血圧測定データ２００として格納する（ステップＳＴ３１）。また、算出された血圧値は表示処理部１１８を介して表示器４０において表示される（ステップＳＴ３３）。そして、第１圧力調整部１１１は、弁駆動回路３７を制御して、弁３４を全開とする。これにより測定用空気袋５０内の空気が全て排気されることになり、腕１００は測定用空気袋５０による圧迫がなくなり、ユーザは腕１００を固定用筒状ケース５から抜くことができる。
【００４９】
これにより一連の血圧測定処理Ｐ１は終了する。
ここで、血圧算出の手順について説明する。血圧算出部１１３は、例えば血圧を図１０に示すカフ圧Ｐｃに応じた脈波信号の振幅値の変化を示す波形の特徴量を用いて算出することができる。具体的には、最高血圧および最低血圧それぞれは、図１０の脈波振幅波形の脈波最大振幅値から、所定割合の位置で検出できることが知られている。図１０に従えば最低血圧は脈波最大振幅×β％の位置におけるカフ圧Ｐｃとして検出でき、最高血圧は脈波最大振幅×α％の位置におけるカフ圧Ｐｃとして検出することができる。
【００５０】
図８を参照して記憶データ利用処理について説明する。
記憶データ利用処理部１１９は、直前の血圧測定処理において入力し記録しておいたユーザのＩＤデータと、ステップＳＴ７で記録した今回血圧測定をするユーザのＩＤデータとを比較し、両ＩＤデータが一致しているか否かに基づき、ユーザの変更がないかあるかについて判定する。ユーザＩＤが一致せず、ユーザの変更があったことを検出すると（ステップＴ１でＹＥＳ）、第２圧力調整部１１２により、血圧測定準備のために固定用空気袋５１内の圧力が調整される（ステップＳＴ３）。
【００５１】
この圧力調整では、直前の血圧測定処理において入力し記録しておいたユーザのＩＤデータ（ユーザ１とする）と、今回血圧測定をするユーザのＩＤデータ（ユーザ２とする）のそれぞれに基づき、記憶データ利用処理部１１９は、メモリアクセス部１１７を介してメモリ３９のテーブル４００を検索し、当該ＩＤデータのそれぞれに一致するＩＤのデータ４０１に対応の残圧力のデータ４０２をそれぞれ読出す。そして読出したデータ４０２の残圧力を比較して、比較結果に基づき、第２圧力調整部１１２に対し、固定用空気袋５１の内圧を制御するための指示を出力する。この指示に基づき、第２圧力調整部１１２はＡ／Ｄ変換器４８が出力する圧力信号に従い、ポンプ駆動回路４６または弁駆動回路４７を制御してポンプ４３または弁４４を駆動する。これにより固定用空気袋５１の内圧が調整される。
【００５２】
例えば、ユーザ１の腕周＞ユーザ２の腕周とすると、ユーザ１が測定を行った後にユーザ２が測定を行なう場合は、ユーザ１の方が固定用空気袋５１の残圧力が少ないので、ユーザ２が選択された時点で、第２圧力調整部１１２は指示に基づき、Ａ／Ｄ変換器４８が出力する圧力信号が、すなわち固定用空気袋５１の圧力がユーザ２について決定されているデータ４０２が指す残圧力となるまで加圧する。逆の場合には固定用空気袋５１の圧力がユーザ２について決定されているデータ４０２が指す残圧力となるまで減圧する。
【００５３】
なお、直前の血圧測定処理が、ゲストモード処理（図９参照）において行なわれた場合には、固定用空気袋５１の空気は全て排気された状態であるので（図９のステップＴ１９参照）、ステップＴ３では、今回血圧測定をするユーザのＩＤデータに対応のデータ４０２が指す残圧力となるように、第２圧力調整部１１２は、固定用空気袋５１の加圧する。
【００５４】
このような固定用空気袋５１の残圧調整がされた後において、前述の血圧測定処理Ｐ１が実行される（ステップＳＴ５）。
【００５５】
血圧測定の処理終了後、固定用空気袋５１から空気が排気されて（ステップＳＴ７）、一連の処理は終了する。この排気においては、第２圧力調整部１１２は、固定用空気袋５１の内圧を、当該ユーザについて決定されているテーブル４００のデータ４０２が指す残圧力となるように制御する。
【００５６】
以上の記憶データ利用処理が行われることにより、図１２に示すように、血圧測定対象のユーザが切替わる毎に、固定用空気袋５１内の残圧力は、切替え前後のユーザ間の残圧力の差分だけ加圧または減圧がされる。したがって、血圧測定準備のための固定用空気袋５１内の圧力を、ユーザの腕周に応じた値に調整することができる。また、この調整はユーザ間の残圧力の差分だけ加圧・減圧すればよいので、ポンプ４３の駆動時間を短くすることができる。
【００５７】
次に、図９を参照し、ゲストモード処理について説明する。ゲストモード処理においては、まず第２圧力調整部１１２によって固定用空気袋５１内の空気を全て排気する処理を行なう（ステップＴ１１）。続いて、上述した血圧測定処理Ｐ１が実行される（ステップＳＴ１７）。血圧測定の処理終了後は、第２圧力調整部１１２によって固定用空気袋５１の空気が排気される（ステップＳＴ１９）。これにより、ゲストモード処理は終了する。
【００５８】
なお、ゲストモード処理における血圧測定処理Ｐ１では、算出された血圧データは、表示はされるが、メモリ３９には格納されないとしてもよい。
【００５９】
図１３と図１４を参照して、本実施の形態による効果を説明する。図１３と図１４では、固定用空気袋５１を加圧開始してから、測定用空気袋５０がユーザの腕１００に巻付け固定されるまでに要する加圧時間ｔ１〜ｔ４が概念的に示されている。図１３では、固定用空気袋５１のユーザの腕周に応じた残圧の調整はされない。そのために、固定用空気袋５１を加圧開始してから、測定用空気袋５０がユーザの腕１００に巻付け固定されるまでに要する加圧時間は、ユーザ毎に（腕周毎に）大きく異なる（図１３では時間ｔ１と時間ｔ２の差が大きい）。すなわち、腕周が短いユーザについては、巻付け固定するまでの所要時間が長く、腕周が長いユーザについては短くなる。したがって、腕周によって固定用空気袋５１の加圧時間を含めた測定時間が大きく変化し電池寿命にも大きな差が出てくる。
【００６０】
これに対し、本実施の形態では、図１４に示すように、固定用空気袋５１に残圧を保持した状態で血圧測定のための処理が開始されるので、つまり、固定用空気袋５１がある程度膨らんだ状態で測定のための処理を開始することで、腕周が短いユーザであっても、固定用空気袋５１の加圧時間を含めた測定時間の短縮を図ることができる。つまり、腕周が短いユーザの時間ｔ３と腕周が長いユーザの時間ｔ４との差を小さくすることができる。したがって、腕周によらず固定用空気袋５１の加圧時間を含めた測定時間を短くできるので、電池寿命も長期化を図ることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６２】
【図１】この発明の実施の形態に適用される電子血圧計の外観を示す図である。
【図２】この発明の実施の形態に適用される電子血圧計の使用状態を概略的に示す図である。
【図３】この発明の実施の形態に適用される電子血圧計のブロック構成図である。
【図４】この発明の実施の形態に適用される電子血圧計のエアー系の構成図である。
【図５】この発明の実施の形態に係る電子血圧計の機能構成図である。
【図６】この発明の実施の形態に係るメモリの内容例を示す図である。
【図７】この発明の実施の形態に係る処理フローチャートである。
【図８】この発明の実施の形態に係る記憶データ利用処理のフローチャートである。
【図９】この発明の実施の形態に係るゲストモード処理のフローチャートである。
【図１０】この発明の実施の形態に適用される血圧算出手順の例を説明する図である。
【図１１】この発明の実施の形態に係る固定用空気袋の加圧過程を説明する図である。
【図１２】この発明の実施の形態に係る固定用空気袋の残圧力の調整を説明する図である。
【図１３】この発明の実施の形態に係る効果を説明する図である。
【図１４】この発明の実施の形態に係る効果を説明する図である。
【符号の説明】
【００６３】
１  電子血圧計、５０  測定用空気袋、５１  固定用空気袋、１１１  第１圧力調整部、１１２  第２圧力調整部、１１３  血圧算出部、１１４  残圧力決定部、１１５  加圧時間計時部、１１６  腕周推定部、１１９  記憶データ利用処理部、１２０  ゲストモード利用処理部。
【図１】
2010035804.tif 000003
【図２】
2010035804.tif 000004
【図３】
2010035804.tif 000005
【図４】
2010035804.tif 000006
【図５】
2010035804.tif 000007
【図６】
2010035804.tif 000008
【図７】
2010035804.tif 000009
【図８】
2010035804.tif 000010
【図９】
2010035804.tif 000011
【図１０】
2010035804.tif 000012
【図１１】
2010035804.tif 000013
【図１２】
2010035804.tif 000014
【図１３】
2010035804.tif 000015
【図１４】
2010035804.tif 000016